(57)【要約】【課題】薬剤を使用せずに発光、超音波を発信することにより小動物を忌避する装置を提供することを目的とする。【解決手段】小動物の接近を検出するセンサーと、前記センサーに応答して発音する発音回路と、前記センサーからの起動によって光を放射する発光源とを具備したことを特徴とする小動物忌避装置。【選択図】図１
2006081441.tif 000002
【特許請求の範囲】
【請求項１】
小動物の接近を検出するセンサーと、前記センサーに応答して発音する発音回路と、前記センサーからの起動によって光を放射する発光源とを具備したことを特徴とする小動物忌避装置。
【請求項２】
電源を内蔵すると共に、光電変換手段によって充電可能となっている請求項１に記載の小動物忌避装置。
【請求項３】
前記センサーが前記小動物を検出してから所定時間を計測し、前記所定時間経過時に前記発音回路の発音を停止するようにしている請求項１または２に記載の小動物忌避装置。
【請求項４】
前記センサーが温度センサーである請求項１乃至３のいずれかに記載の小動物忌避装置。
【請求項５】
前記発光源はストロボである請求項１乃至４のいずれかに記載の小動物忌避装置。
【請求項６】
前記発光源はＬＥＤである請求項１乃至４のいずれかに記載の小動物忌避装置。
【請求項７】
小動物の接近を検出するセンサーと、前記センサーに応答して発音する発音回路及び超音波発音器と、前記センサーからの起動によって光を放射する発光源とを具備したことを特徴とする小動物忌避装置。
【請求項８】
電源を内蔵すると共に、光電変換手段によって充電可能となっている請求項７に記載の小動物忌避装置。
【請求項９】
前記センサーが前記小動物を検出してから所定時間を計測し、前記所定時間経過時に前記発音回路及び前記超音波発音器の発音を停止するようにしている請求項７または８に記載の小動物忌避装置。
【請求項１０】
前記センサーが温度センサーである請求項７乃至９のいずれかに記載の小動物忌避装置。
【請求項１１】
前記発光源はストロボである請求項７乃至１０のいずれかに記載の小動物忌避装置。
【請求項１２】
前記発光源はＬＥＤである請求項７乃至１０のいずれかに記載の小動物忌避装置。
【発明の詳細な説明】
【技術分野】
【０００１】
本発明は、小動物を忌避するための装置であり、詳しくは発光、超音波で小動物を忌避する装置に関する。
【背景技術】
【０００２】
ネズミ、ハクビシン、イタチ、タヌキ、ゴキブリ等の小動物（以下、小動物という）は、病原菌等を媒介し、人間の生活にとって有害となることが多い。従来から小動物によるオフィスビルや一般家庭における配線の切断や、それに伴う火災や停電の発生等、小動物による被害は深刻な社会問題となっており、特に食品を調理する飲食店、食品を加工する工場等は、小動物が病原菌を媒介し食中毒等を引き起こす可能性があるため、衛生管理の面で小動物を駆除することが重要視されている。また、重症急性呼吸器症候群（ＳＡＲＳ）の感染源がハクビシンであるといわれており、小動物を駆除することは人間の生活にとって重要なことである。
【０００３】
このような小動物を駆除する方法として、例えば、殺虫剤等を散布する方法がある。しかし、殺虫剤の散布後に小動物の死骸を処理しなければならず、衛生面での問題は解決されなかった。さらに殺虫剤の成分である薬剤は人間にとっても有毒なものであり、安全面でも問題があった。
【０００４】
このような問題を解決するために、例えば特許文献１では、人間に対して毒性の低い漢方生薬を用いた忌避剤を提案している。しかし、忌避剤は効果が不安定であり、かつ、持続し難いといった問題があった。
【特許文献１】特開２００４−７５６０５号公報
【発明の開示】
【発明が解決しようとする課題】
【０００５】
本発明は上述したような実情に鑑みてなされたものであり、薬剤を使用せずに発光、超音波を発信することにより小動物を忌避する装置を提供することを目的とする。
【課題を解決するための手段】
【０００６】
本発明の目的は、小動物の接近を検出するセンサーと、前記センサーに応答して発音する発音回路と、前記センサーからの起動によって光を放射する発光源とを具備したことによって達成される。
【０００７】
また、本発明の目的は、電源を内蔵すると共に、光電変換手段によって充電可能となっていることによって、或いは前記センサーが前記小動物を検出してから所定時間を計測し、前記所定時間経過時に前記発音回路の発音を停止するようにしていることによって、或いは前記センサーが温度センサーであることによって、或いは前記発光源はストロボであることによって、或いは前記発光源はＬＥＤであることによって、より効果的に達成される。
【０００８】
本発明の目的は、小動物の接近を検出するセンサーと、前記センサーに応答して発音する発音回路及び超音波発音器と、前記センサーからの起動によって光を放射する発光源とを具備したことによって効果的に達成される。
【０００９】
また、本発明の目的は、電源を内蔵すると共に、光電変換手段によって充電可能となっていることによって、或いは前記センサーが前記小動物を検出してから所定時間を計測し、前記所定時間経過時に前記発音回路及び前記超音波発音器の発音を停止するようにしていることによって、或いは前記センサーが温度センサーであることによって、或いは前記発光源はストロボであることによって、或いは前記発光源はＬＥＤであることによって、より効果的に達成される。
【発明の効果】
【００１０】
本発明の小動物忌避装置によれば、温度センサー等のセンサーで小動物を感知し、センサーが検出した結果に基づいて発光することにより小動物を忌避することが可能となった。また、超音波発音器を設けることにより、より効果的に小動物を忌避することが可能となった。これにより、薬剤等を使用した場合の安全、衛生面の問題点がなくなり、より効率良く小動物を忌避することが可能となった。また、忌避効果も持続するようになった。
【発明を実施するための最良の形態】
【００１１】
本発明は、電源部と、小動物の体温を検出する温度センサーと、発音回路と駆動回路とタイマーと発光源とからなる。ネズミ等の小動物は通常暗い場所を好み、明るい場所を嫌い逃避する傾向にある。したがって、本発明の小動物忌避装置の発光部からの発光により、小動物を威嚇することにより小動物を忌避することが可能となる。
【００１２】
以下、本発明の実施形態について図面を参照しながら詳細に説明する。
【００１３】
図１は、本発明の小動物忌避装置の外観図である。本発明の小動物忌避装置１は、直方体状の筐体でなっており、その前面部には、接近したネズミ等の小動物の体温を感知する温度センサー２と、温度センサー２が感知した信号をトリガとして発光する発光源３と、温度センサー２が感知した信号をトリガとして発音する超音波発音器４と、小動物忌避装置１をオン／オフする電源スイッチ５と、温度センサー２が小動物を感知した回数を計測するカウンター６とからなる。なお、内蔵の電源（バッテリ）１０は、太陽電池１１等を設置し、充電式にすることにより電池交換を省略することができる。また、図１では超音波発音器４を具備しているが、必ずしも必要ではなく発光源３のみでも効果は大きい。
【００１４】
温度センサー２は小動物の体温に反応するものを使用する。特定の小動物（例えば、ネズミ）を忌避するために、特定の小動物の体温のみに反応するように設定することも可能である。本発明に使用する温度センサーの設置位置からある程度離れた距離に小動物が位置していても十分に検知できることが必要である。効率良く小動物を忌避するために、センサー角度は、水平角度が−６０〜＋６０度、上下角度が−６０〜＋６０度、最大距離が１〜１０ｍのものを使用することが好ましい。図１には、温度センサー２は一つのみ設置しているが、より効率良く小動物を忌避するために複数設置してもよい。
【００１５】
カウンター６を設けることにより、小動物忌避装置１を設置した場所に小動物がどの程度存在しているかを確認することができる。
【００１６】
温度センサー２が感知した信号をトリガとして、発光源３が光（閃光）を発する。発光源３から発せられた光により小動物が驚き、小動物忌避装置１周辺に近づかなくなる、すなわち小動物を忌避することができる。発光源３は、ストロボ、ＬＥＤ（発光ダイオード）ライト等種々の公知のものを使用してもよく、複数を組合せて使用しても良い。また、発光源３を複数組合せて使用する場合には、光が連動するように点滅させるようにしても良い。本発明で使用する発光源３の光度は、より確実に小動物を忌避するため２０００〜１５０００ｃｄの発光源３を使用することが好ましい。
【００１７】
本発明者の鋭意研究の成果により、小動物の中でも特にネズミは超音波を嫌い、超音波を発音させることによりネズミを忌避させることが可能であることを付きとめた。発光源の光が届かない場所でも超音波は届くため、より広い場所でも小動物を忌避させることが可能となった。
【００１８】
本発明で使用する超音波発音器４は、より確実に小動物を忌避するために、２０〜２００００ｋＨｚの周波数のものを使用することが好ましい。なお、ネズミ以外の小動物のみを忌避する場合には、超音波発音器４を省略してもよい。
【００１９】
図２は、本発明の小動物忌避装置の回路構成の一例を示すブロック図である。本発明の小動物忌避装置１は、電源部としての内臓バッテリ１０と、太陽光等の光を電気信号に変換してバッテリ１０を充電する太陽電池１１と、小動物の体温を感知する温度センサー２と、温度センサー２が感知した回数を計測するカウンター６と、温度センサー２が感知した信号を受ける発音回路２０と、発音回路２０からの発音信号で発光源３を発光させる駆動回路２１とからなる。また、温度センサー２の検出信号及び検出しなくなってからの時間を計測するタイマー２２を設け、小動物が忌避した後にも一定時間発光するようにすることも可能である。
【００２０】
タイマー２２を設置することにより、小動物を完全に忌避させるために、温度センサー２で小動物を感知し、感知しなくなった後にも一定時間発光させることが可能となる。タイマー２２の設定時間は任意に設定することが可能であるが、５〜１０秒程度の設定時間の場合が好ましく、完全に小動物を忌避させることが可能となる。
【００２１】
バッテリ１０は、本発明の小動物忌避装置１が手軽に運搬でき、様々な場所にも設置できることが好ましいため、乾電池、バッテリ等の電源を備えたものであることが好ましいが、コンセント等からの交流電源をも利用できる併用型とすることもできる。また、太陽電池１１を用いてバッテリ１０に充電して使用するようにしてもよい。
【００２２】
図３は、図２の装置に超音波発音器４を設置した小動物忌避装置１のブロック図である。超音波発音器４は、温度センサー２が小動物を感知して信号を発し、その信号を受けて超音波が発音される。また、上述したように、タイマー２２を設置することにより、温度センサー２で小動物を感知し、感知しなくなった後にも一定時間超音波を発音させることが可能となる。
【００２３】
超音波発音器４は図示していないが、バッテリ１０に直接接続することにより、常時超音波を発信させることもできる。これにより、広範囲において小動物を忌避することが可能となる。
【００２４】
設置場所は、小動物の出没しそうな場所又は小動物の侵入を避けたい場所等に主として設置され、複数設置してもよい。なお、上述では小動物の検出に温度センサーを使用しているが、赤外センサー、超音波センサー等の近接センサーを使用することも可能である。
【００２５】
以下、本発明についての実施例について説明するが、本発明はこれら実施例に限定されるものではない。
【実施例１】
【００２６】
ネズミの被害に悩む飲食店に本発明の小動物忌避装置１を設置し、ネズミの忌避効果を試験した。
【００２７】
飲食店の厨房（３０ｍ２）に、本発明の小動物忌避装置を設置した。本実施例の小動物忌避装置を設置するまでは、ネズミにより食料品が食べられるという被害にあっていたが、当該忌避装置を設置した次の日から、この被害はなくなった。当該忌避装置を設置した日から１月以上経過してもネズミにより食料品が食べられるという被害は全く起こらなかった。なお、超音波発音器を設置していない本発明の小動物忌避装置を用いても結果は同じであった。
【実施例２】
【００２８】
ネズミの被害に悩む穀物を保存してある倉庫（１０００ｍ２）に本発明の小動物忌避装置１を設置し、ネズミの忌避効果を試験した。
【００２９】
本発明の小動物忌避装置を設置するまでは、ネズミにより穀物が食べられるという被害にあっていたが、当該忌避装置を設置した次の日から、この被害はなくなった。当該忌避装置を設置した日から１月以上経過してもネズミにより穀物が食べられるという被害は全く起こらなかった。
【図面の簡単な説明】
【００３０】
【図１】本発明の小動物忌避装置の外観図である。
【図２】本発明の小動物忌避装置の回路構成の一例を示すブロック図である。
【図３】本発明の小動物忌避装置の回路構成の他の例を示すブロック図である。
【符号の説明】
【００３１】
１      本体
２      温度センサー
３      発光源
４      超音波発音器
５      電源スイッチ
６      カウンター
１０    バッテリ
１１    太陽電池
２０    発音回路
２１    駆動回路
２２    タイマー
【図１】
2006081441.tif 000003
【図２】
2006081441.tif 000004
【図３】
2006081441.tif 000005